(57)【要約】【課題】珈琲や紅茶、ジュース類に属する飲み物をテイクアウトする時の包装類の節約が可能な飲料用容器を提供する。【解決手段】飲料に入れる調味料が封入された小容器を収納可能な小容器収納部１２ａを容器上部に備えると共に、ストロー，簡易スプーン，砂糖スティック等の棒状の飲料用品を収納する棒状用品収納部１１ａを容器側部に備える。また、各種の飲料の容器として兼用可能に、飲料用容器の上部にストロー差込用穴部１２ｂとホット用飲み口部１２ｃとを更に備えた構成とする。【選択図】　　図１
2004017979.tif 000002
【特許請求の範囲】
【請求項１】
飲料を収容するテイクアウト可能な飲料用容器であって、前記飲料に入れる調味料が封入された小容器を収納可能な小容器収納部を容器上部に備えると共に、ストロー，簡易スプーン，砂糖スティック等の棒状の飲料用品を収納する棒状用品収納部を容器側部に備えたことを特徴とする飲料用容器。
【請求項２】
前記小容器収納部が、前記小容器の形状に係合する円錐台状の凹部から成り、その凹部が前記飲料用容器の蓋体の上面に複数形成されている請求項１に記載の飲料用容器。
【請求項３】
前記棒状用品収納部が、大きさの異なる棒状の飲料用品を収納可能に、収納スペースの異なる複数の収納部分を有する請求項１又は２に記載の飲料用容器。
【請求項４】
前記棒状用品収納部が、折り畳まれた部分を引っ張ることにより収納スペースが形成される紙製の部材から成り、前記収納スペースに前記棒状の飲料用品を収納する構造となっている請求項１乃至３のいずれかに記載の飲料用容器。
【請求項５】
前記棒状用品収納部の部材が、矩形状若しくは上部に開口部を有する袋状の部材から成る請求項４に記載の飲料用容器。
【請求項６】
各種の飲料の容器として兼用可能に、前記飲料用容器の上部にストロー差込用穴部とホット用飲み口部とが更に設けられている請求項１乃至５のいずれかに記載の飲料用容器。
【請求項７】
前記飲料用容器の上部に空気穴部が更に設けられている請求項６に記載の飲料用容器。
【発明の詳細な説明】
【０００１】
【発明の属する技術分野】
本発明は、珈琲、紅茶、清涼飲料、ジュース類等の販売対象の飲料が収容される飲料用容器に関し、特に、テイクアウト（持ち帰り）の対象となる飲料が収容される飲料用容器に関する。
【０００２】
【従来の技術】
従来、珈琲、紅茶、ジュース類等の飲料を店舗等で購入してテイクアウトする場合、飲料が収容された飲料用容器の他にミルクやガムシロップ、ストロー，簡易スプーン，砂糖スティックなどの各種の飲料用品を包装類に入れてテイクアウトするようにしている。また、店内で飲料を飲む際には、トレー上に飲料用容器と飲料用品を載せて運ぶか、あるいは、購入者が飲料用容器と飲料用品を手に持って運ぶようにしている。
【０００３】
【発明が解決しようとする課題】
上述のように、従来は、購入した飲料品をテイクアウトする場合、飲料用容器や飲料用品を入れて持ち運ぶための包装類が必要となり、全国的な規模や年間的な観点から見ると、その包装類だけでも膨大な資源が消費されている。また、飲料以外のコストとして、包装紙や固定用カートン等の包装類の製造コストの他に、冷たい飲料と暖かい飲料で容器の種類を分けるなど、飲料の種類に応じた容器の製造コストがかかり、その分の費用が飲料の価格に計上されるため、商品価格の低減化を図ることが困難であった。
【０００４】
本発明は上述のような事情から成されたものであり、本発明の目的は、珈琲や紅茶、ジュース類に属する飲み物をテイクアウトする時の包装類の節約が可能な飲料用容器を提供することにある。また、飲料用品の持ち運びが容易で且つ飲料品の低コスト化を図ることができる飲料用容器を提供することにある。
【０００５】
【課題を解決するための手段】
本発明は、飲料を収容するテイクアウト可能な飲料用容器に関するものであり、本発明の上記目的は、前記飲料に入れる調味料が封入された小容器を収納可能な小容器収納部を容器上部に備えると共に、ストロー，簡易スプーン，砂糖スティック等の棒状の飲料用品を収納する棒状用品収納部を容器側部に備えることによって達成される。
【０００６】
さらに、前記小容器収納部が、前記小容器の形状に係合する円錐台状の凹部から成り、その凹部が前記飲料用容器の蓋体の上面に複数形成されていること；前記棒状用品収納部が、大きさの異なる棒状の飲料用品を収納可能に、収納スペースの異なる複数の収納部分を有すること；前記棒状用品収納部が、折り畳まれた部分を引っ張ることにより収納スペースが形成される紙製の部材から成り、前記収納スペースに前記棒状の飲料用品を収納する構造となっていること；前記棒状用品収納部の部材が、矩形状若しくは上部に開口部を有する袋状の部材から成ること；各種の飲料の容器として兼用可能に、前記飲料用容器の上部にストロー差込用穴部とホット用飲み口部とが更に設けられていること；前記飲料用容器の上部に空気穴部が更に設けられていること；によって、それぞれ一層効果的に達成される。
【０００７】
【発明の実施の形態】
本発明に係る飲料用容器は、珈琲や紅茶、ジュース類に属する飲み物をテイクアウトする時の包装類の節約を可能とし、また店内で飲食する場合の持ち運びを容易にするために、飲み物に利用される各種の飲料用品を収納する収納部を備えている。ここ言う各種の飲料用品とは、飲料が収容された容器に付属され、必要に応じて利用される飲料用品であり、例えば、ミルクや液状の甘味料（例えばガムシロップ）など、好みや必要に応じて飲料に入れる調味料が封入されたカップ状の小さな容器（以下、小容器と言う）や、吸飲用のストロー，攪拌用の簡易スプーン，粒状の甘味料（砂糖など）が封入されたスティックなどの棒状の飲料用品（以下、棒状用品と言う）のことを言う。
【０００８】
以下に、図面に基づいて本発明の好適な実施の形態について詳細に説明する。
【０００９】
図１は本発明に係る飲料用容器の構成の一例を斜視図で示しており、図２はその蓋部の構成を平面図で示している。飲料用容器１０の上部（本例では蓋体１２の上面）には、図２に示すように、飲料に入れるガムシロップやミルク等の種々の調味料が封入された小容器１を収納することができる小容器収納部１２ａと、アイスコーヒーやアイスティー等を飲む際に利用するストロー差込用穴部１２ｂと、剥離性シールが貼着されたホット用飲み口部１２ｃと、吸飲を容易にするための空気穴部１２ｄとが設けられている。本例に示される飲料用容器１０は、図３に示すように、所定形状の容器本体１１と、その容器本体１１の開口部に蓋をする蓋体１２とから構成されており、飲料用容器（容器本体１１若しくは蓋体１２）の側部には、棒状用品を収納する棒状用品収納部１１ａが設けられている。
【００１０】
本発明に係る飲料用容器１０が有する上記２種類の収納部（小容器収納部１２ａ及び棒状用品収納部１１ａ）のうち、先ず、小容器収納部１２ａの具体的な構成について説明する。
【００１１】
蓋体１２の小容器収納部１２ａは、図４の蓋体１２の構造図に示すように、収納部分が小容器１の形状に係合する少なくとも１つ以上の円錐台状の凹部から成り、その凹部は、蓋体１２の製造時に予め成形されている。
【００１２】
ところで、アイスコーヒーなど、飲み物によってはガムシロップとミルクというように複数種類の小容器１を利用することがあり、また、人によってミルクを２つ使用するというように同一種類の小容器１を複数利用することがある。また、飲料用容器１０は、低価格を図るために各種の飲料で兼用可能な容器とすることが好ましい。そこで、本実施の形態では、複数種類の小容器１を収納可能に且つ同一種類の小容器１を複数収納可能に、小容器収納部１２ａの構成要素である凹部を蓋体の上面に複数形成した形態としている。この凹部は、少なくとも２つ以上設けるのが好ましく、例えばミルクを２つとガムシロップを１つというように、３つの小容器を収納可能に３箇所に形成された形態とするのが望ましい。そして、各凹部が形成される箇所としては、図２に示したように、蓋体１２の中心部（若しくは周縁部）に形成されるストロー差込用穴部１２ｂ、蓋体１２の周縁部にそれぞれ形成されるホット用飲み口部１２ｃ及び空気穴部１２ｄの各部分を除いた領域内で、且つ、ホット用飲み口部１２ｃから所定距離（吸飲時に唇が凹部に触れない程度）離れた位置が好ましい。
【００１３】
なお、凹部の底面部に空気穴部１２ｄ（若しくはストロー差込用穴部１２ｂ）を設けるようにしても良く、１つの凹部に複数の小容器１を収納する形態としても良い。また、凹部の形状は、本例では、小容器１の上面に設けられている剥し片が凹部の周縁に係止される形状としているが、小容器１の取出しが容易で且つ持ち運び時に転がり落ちないような所定の深さと幅を有する形状であれば良い。また、凹部の形状は、異なる小容器１が存在する場合においても最大形状に合わせて、同一形状とするのが好ましい。
【００１４】
次に、棒状用品収納部１１ａの具体的な構成について説明する。
【００１５】
本発明に係る飲料用容器１０は、ストロー，簡易スプーン，砂糖スティックなどの棒状用品を収納可能な収納部１１ａ（以下、棒状用品収納部と言う）が、図３のように、容器本体１１の側部に設けられている。この棒状用品収納部１１ａは、図５の拡大図に示すように、矩形状の紙製の部材を折り畳んだ状態で、その両端の接着部Ａを容器本体１１の側部に接着する等によって形成される。そして、通常は容器側に折り畳まれた状態になっており、図６に示すように、使用時に、棒状用品収納部１１ａを矢印方向に引っ張ることにより、容器との間に収納スペースが形成され、その状態で棒状用品を収納スペースに挿入して挟持させることで、容器側面部に拘持されるようになっている。このような引っ張り方式の紙製の部材を用いることで、棒状用品収納部１１ａを安価に設けることができる。
【００１６】
棒状用品収納部１１ａに収納される対象は、上記のように、ストロー，簡易スプーン，砂糖スティックなど複数あるため、大きさの異なる棒状の飲料用品を収納可能に、収納スペースの異なる複数の収納部分を有するのが好ましい。そこで、好ましい実施の形態では、棒状用品収納部１１ａは、図７の例のように、収納スペースが異なる２つの収納部１１ａ１，１１ａ２を設けた構成としている。小さい方の収納部１１ａ１は、図８に示すように、ストロー２ａや簡易スプーンのような小径の棒状用品を収納する収納部であり、大きい方の収納部１１ａ２は、図９に示すように、砂糖スティック２ｂのような比較的大径若しくは幅を有する棒状用品を収納する収納部である。本例では、各種の飲料で兼用可能な容器とするために、大小２つの収納部１１ａ１，１１ａ２を設けた形態としているが、収納部の数は２つに限るものではなく、また、小容器収納部１２ａと同様に、同一種類の物品を複数収納できる形態としても良い。なお、棒状用品収納部１１ａは、例えば、側面部の形状を角錐や円錐状としてその頂点を下方とした袋状のものなど、上部に開口部を有する折り畳み可能な袋状のものであっても良く、１つの収納部に複数種類の棒状用品を収納する形態としても良い。
【００１７】
上述のような構成において、本発明に係る飲料用容器の用途について説明する。
【００１８】
本発明に係る飲料用容器は、店舗において購入した飲料をテイクアウトする場合に好適に適用される。飲料をテイクアウトする場合、販売者又は購入者は、ガムシロップやミルク等の購入者が希望する調味料が封入された小容器１を飲料用容器１０の小容器収納部（上部収納部）１２ａに収納し、さらに、棒状用品収納部（側部収納部）にストロー等の必要な棒状用品２を収納する。そして、各飲料用品が収納された状態で飲料用容器１０をテイクアウトする。このような形態とすることで、各種の飲料品をテイクアウトする時の包装類が不要となり、資源を大幅に節約することが可能となる。また、店内で飲む場合も同様に、各飲料用品が収納された状態で飲料用容器１０を持ち運ぶようにすることで、持ち運びにトレーが不要となる。さらに、複数人の飲料用容器１０を購入してテイクアウト若しくは店内で運んで飲食する場合においても、必要な小容器１や棒状用品２を、各自が注文した該当の飲料用容器１０に割当てる手間など、運んだ後の手間を解消することができる。
【００１９】
なお、上述した実施の形態では、棒状用品収納部１１ａを容器本体１０の側部に設けた場合を例として説明したが、蓋体１２の周壁部に設ける形態としても良い。
【００２０】
【発明の効果】
以上に説明したように、本発明に係る飲料用容器によれば、飲料に入れるミルクやガムシロップが封入された小容器や、ストロー，簡易スプーン，砂糖スティックなどの棒状用品をそれぞれ収納可能な収納部を有しているので、飲料品をテイクアウトする時の包装類を節約することが可能となる。また、店内で飲む場合においても持ち運びが容易となる。さらに、各種の飲料の容器として兼用可能な構成とし、また棒状用品収納部は引っ張り方式の紙製の部材で構成することによって、飲料品の低コスト化を図ることができる
【図面の簡単な説明】
【図１】本発明に係る飲料用容器の構成の一例を示す斜視図である。
【図２】本発明に係る飲料用容器の蓋部の構成を示す平面図である。
【図３】本発明に係る飲料用容器の容器本体と蓋体との係合関係を示す斜視図である。
【図４】飲料用容器上部に形成された小容器収納部の構造を模式的に示す側面構造図である。
【図５】棒状用品収納部の拡大図である。
【図６】棒状用品収納部の部材を引っ張った状態を示す斜視図である。
【図７】棒状用品収納部の全体構成の一例を示す模式図である。
【図８】棒状用品収納部にストローを収納した状態を示す斜視図である。
【図９】棒状用品収納部に砂糖スティックを収納した状態を示す斜視図である。
【符号の説明】
１　小容器
２　棒状用品
２ａ　ストロー
２ｂ　砂糖スティック
１０　飲料用容器
１１　容器本体
１１ａ　棒状用品収納部
１２　蓋体
１２ａ　小容器収納部
１２ｂ　ストロー差込用穴部
１２ｃ　ホット用飲み口部
１２ｄ　空気穴部
【図１】
2004017979.tif 000003
【図２】
2004017979.tif 000004
【図３】
2004017979.tif 000005
【図４】
2004017979.tif 000006
【図５】
2004017979.tif 000007
【図６】
2004017979.tif 000008
【図７】
2004017979.tif 000009
【図８】
2004017979.tif 000010
【図９】
2004017979.tif 000011